(57)【要約】【課題】  既存のパチンコ島をそのままパチスロ島に変換して利用することができるように構成した遊技機島およびパチスロ機に関する。【解決手段】  本発明の遊技機島１は、パチンコ島１０からパチンコ機２および玉貸機３を取り外した空間にパチスロ機４を搭載させて、パチスロ島３０として利用できるように構成したものであり、パチンコ島１０の膳板１１の上に、下から順に、メダル回収装置３１，パチスロ機４，メダル補給装置３２を組み込む。したがって、パチスロ機４は、本体部４２の高さを従来より低くしたものが使用される。また、前面幅については、パチスロ機４，メダル貸機５，目板４０がそっくり収まるように、パチスロ機４の前面幅を従来より狭くしたものが使用される。このような構成によって、後付けする形で比較的簡単に、パチンコ島１０からパチスロ島３０に変換することができる。【選択図】  図１
2009153647.tif 000002
【特許請求の範囲】
【請求項１】
パチンコ島をスロット島に変換して利用することができるように構成した遊技機島に組み込まれるパチスロ機であって、
前記パチスロ機の前面幅は、該パチスロ機の前面幅とメダル貸機の前面幅と目板の前面幅とを合算した値が、既存のパチンコ機の前面幅と玉貸機の前面幅とを合算した値と略同一となるように形成されるとともに、
前記パチスロ機の高さは、既存のパチンコ機よりも低く形成されていることを特徴とするパチスロ機。
【請求項２】
請求項１に記載のパチスロ機が組み込まれる遊技機島であって、
前記パチスロ機の上方にメダル補給装置が配設され、前記パチスロ機の下方にメダル回収装置が配設されるとともに、前記メダル補給装置の高さと前記パチスロ機の高さと前記メダル回収装置の高さとを合算した値が、既存のパチンコ機の高さと略同一となるように形成されていることを特徴とする遊技機島。
【請求項３】
前記パチスロ機は、該パチスロ機を前記遊技機島に組み込んだときの遊技場の床面からの遊技操作部の高さが、既存のスロット島に組み込まれた既存のパチスロ機の遊技操作部の遊技場の床面からの高さと略同一となるように形成されていることを特徴とする請求項１に記載のパチスロ機。
【発明の詳細な説明】
【技術分野】
【０００１】
本発明は、既存のパチンコ島をそのままパチスロ島に変換して利用することができるように構成した遊技機島と、この遊技機島に組み込まれるパチスロ機に関する。
【背景技術】
【０００２】
遊技場の経営者は、遊技場にパチンコ機を設置するのか、パチスロ機を設置するのか、あるいはこれらを並置するのか、そしてまた並置する割合をどの位にするのか、等を経営戦略に則って決断している。しかしながら、遊技客の嗜好は流動的であり、一旦設置した後の適当な時期に営業形態を変化させることも、極めて重要な経営課題である。遊技機関連の製造業者からも、遊技客のこのような嗜好の変化に対応できるように、パチンコ島からパチスロ島に、あるいはパチスロ島からパチンコ島に、全交換に近い大掛かりな工事を伴うことなく変換することができる島構造が、従来もいくつか提唱されている。
【０００３】
パチンコ機とパチスロ機とを相互に交換する場合の問題点の一つは、これらの遊技機自体の高さは同じ高さに統一されているものの、これらの遊技機が組み込まれる遊技機島の膳板の床面からの高さが、両者間で異なるということである。すなわち、パチンコ島の膳板の床面からの高さは、パチスロ島の膳板の床面からの高さよりも、通常、１００ｍｍ余り高く設定されている。これは、遊技客の座席の高さを変えなくとも、パチンコ機ではハンドルや下受皿等が配設された遊技操作部を、パチスロ機ではメダル投入口，スタートレバー，ストップボタン等が配設された遊技操作部を、手でもって最も楽に操作できる高さに位置合わせをしたためである。通常は、パチンコ島とパチスロ島とは、専用の遊技機島として別々に設計されるから、何も不都合は生じない。
【０００４】
しかしながら、パチンコ機とパチスロ機とを一つの遊技機島で共用できるようにする場合には、遊技機島の膳板の床面からの高さがどちらか一方に固定される訳であるから、単に遊技機を交換するだけでは、遊技操作部の高さがそれまでと異なることとなる。このような問題は、遊技客が座る椅子の高さを変えることで対応できるが、調整機能付きの椅子の導入が必要であったり、遊技場の統一観が損なわれるという問題がある。メダルの代わりにパチンコ玉を利用したパチスロ機も考案されているが、メダルとパチンコ玉の価値を合わせるために、特にパチスロ機におけるパチンコ玉の扱い量が異常に多くなるという問題がある。また、特許文献１（図８参照）のように、膳板の設置高さの差分に相当する高さ寸法を有するドル箱棚を、パチンコ島ではパチンコ機の下方に配設し、パチスロ島ではパチスロ機の上方に配設することによって、既存のパチンコ島やパチスロ島と変わらない遊技操作部の高さを確保するという方法も提唱されている。
【０００５】
パチンコ機とパチスロ機とを相互に交換する場合の他の問題点は、これらの遊技機の前面幅や奥行き寸法が異なることである。この問題を、特許文献２では、次のように解決している。すなわち、遊技機島は、腰下ユニット，膳板ユニット，島柱ユニット，上部ユニットの集合体によって概略構成され、島柱ユニットおよび上部ユニットについては、パチンコ機用のものとパチスロ機用のものとを個別に用意し、これらを適宜組合わせて遊技機島を形成する。また、膳板ユニットについては、パチンコ機用のものをパチスロ機用のものより高さを高く設定し、遊技機の奥行き寸法の違いは、膳板の奥行き寸法により吸収するようにしている。さらに、島柱ユニットを遊技機島の長手方向にスライド可能に形成して、遊技機の前面幅寸法や遊技機間に配されるメダル貸機（パチンコ玉貸機）等の前面幅寸法に合わせて、島柱ユニット間の距離等を調整するように構成している。
【０００６】
【特許文献１】特開２００１−２２４８２６号公報
【特許文献２】特開２００７−６８９９１号公報
【発明の開示】
【発明が解決しようとする課題】
【０００７】
本発明の目的は、既存のパチンコ島にそのまま組み込むことができるパチスロ機、およびこのパチスロ機が組み込まれた結果、メダルの自動補給機能をもつパチスロ島に変換された遊技機島を提供することにある。遊技場での占有率は、パチスロ機よりもパチンコ機の方が圧倒的に高いので、パチンコ島をベースとし、パチンコ島からパチスロ島への変換を図ることにする。また、パチンコ機は、パチンコ玉の動きが遊技の勝敗と直接関係するものであるから、徒にパチンコ機本体のサイズの変更することは興趣に影響し、好ましくない。一方、パチスロ機におけるメダルは賭数を決定するだけのものであって、遊技内容は内部制御によって決定されるから、パチスロ機本体に多少のサイズの変更があっても興趣を損なうことがないことも、パチンコ島をベースとすることの理由の一つである。
【０００８】
現在実用されているパチスロ機を既存のパチンコ島にそのまま設置することは、既述の通り、床面からの膳板の高さ違いの問題がある。また、パチスロ機の設置には、これに並置されるメダル貸機の前面幅などを合わせると、パチンコ機とこれに並置される玉貸機の前面幅を合わせた前面幅よりも大きな前面幅寸法が必要となる。このために、パチンコ島の支柱と干渉してしまい、パチンコ島の支柱間隔を広げることなしにパチスロ機を収めることができないという問題がある。特許文献２に示されるように、支柱を遊技機島の長手方向にスライド可能に構成すれば、既存のパチスロ機の設置は可能となるが、全体の設置台数が減少するという問題は解消されない。さらに、呼出ランプ，幕板，椅子などについても、設置位置を移動させる必要が生じる。
【０００９】
さらに、特許文献１に開示された遊技機島は、島の上部にパチンコ玉補給装置とメダル補給装置を、島の下部にパチンコ玉回収機構とメダル回収機構を予め配設しておくことが必要となる。もし既存のパチンコ島にメダル補給装置を後付けする形で設置するのであれば、パチンコ玉補給装置の撤去が必要となってくる。さらに、既存のパチンコ島にメダル回収装置を後付けする形で設置するという対応は非常に困難であり、たとえ設置ができたとしても、膳板の穴加工などの大変な付随作業を伴う。本発明は、このような問題点をも考慮してなされたものである。
【課題を解決するための手段】
【００１０】
本発明は上記の如き課題に鑑みなされたもので、請求項１の発明は、パチンコ島をスロット島に変換して利用することができるように構成した遊技機島に組み込まれるパチスロ機であって、前記パチスロ機の前面幅は、該パチスロ機の前面幅とメダル貸機の前面幅と目板の前面幅とを合算した値が、既存のパチンコ機の前面幅と玉貸機の前面幅とを合算した値と略同一となるように形成されるとともに、前記パチスロ機の高さは、既存のパチンコ機よりも低く形成されていることを特徴とするパチスロ機である。
【００１１】
既存のパチンコ機およびパチスロ機の前面幅は、パチンコ機が略５２０ｍｍ、パチスロ機が４８０ｍｍである。しかしながら、それぞれの遊技媒体であるパチンコ玉とメダルの形状・大きさや扱い方の違いから、遊技媒体貸機などの周辺機器類を含めた１ユニットの前面幅は、パチスロユニットの方がパチンコユニットよりも幅広となる。すなわち、玉貸機では、上方に設けた補給装置からパチンコ玉を流下させるだけでよいから、玉貸機の前面幅は４０ｍｍ余りで済む。一方のメダル貸機は、紙幣を受け入れる紙幣識別装置や、メダルを一定量貯留し貸出要求に応じて払い出すホッパー装置などが本体内に収納されるから、前面幅は１００ｍｍほどの幅を必要とする。さらに、パチスロ機の場合は、蝶番によって本体に装着された前扉を開扉したときに、厚さの厚い前扉が他と干渉しないように、目板によって目隠しされた遊び空間が設けられる。この目板は、５０ｍｍほどの前面幅を必要とする。そこで、本発明のパチスロ機は、既存のパチンコ島にそのままパチスロ機を組み込むことができるようにするために、前面幅を現行より狭くすることによって対応した。より具体的には、パチスロ機の前面幅を４００〜４５０ｍｍに設定して、パチスロ機の１ユニットがそのままパチンコ機の１ユニットに収まるようにしたものである。
【００１２】
また、高さ寸法についても、既存のパチンコ機とパチスロ機とは同じ高さに統一されているが、本発明のパチスロ機ではそれよりも低く設定している。すなわち、本発明のパチスロ機の高さは、既存のパチスロ機の高さから、以下に記載するメダル補給装置の高さおよびメダル回収装置の高さを減じた高さに設定している。
【００１３】
請求項２の発明は、請求項１に記載のパチスロ機が組み込まれる遊技機島であって、前記パチスロ機の上方にメダル補給装置が配設され、前記パチスロ機の下方にメダル回収装置が配設されるとともに、前記メダル補給装置の高さと前記パチスロ機の高さと前記メダル回収装置の高さとを合算した値が、既存のパチンコ機の高さと略同一となるように形成されていることを特徴とする遊技機島である。
【００１４】
これは、メダル補給装置と本発明のパチスロ機とメダル回収装置の各高さの合算値と、既存のパチンコ機の高さとを一致させることで、高さ寸法についても、既存のパチンコ島をメダルの循環機構を有する遊技機島にそのまま変換できるようにしたものである。メダル補給装置およびメダル回収装置は、パチンコ島からパチンコ機を取り外した空間の上部および下部に設置されることになるから、島変換の必要が生じた時に後付けする形で対応することが可能となる。
【００１５】
請求項３の発明は、前記パチスロ機は、該パチスロ機を前記遊技機島に組み込んだときの遊技場の床面からの遊技操作部の高さが、既存のスロット島に組み込まれた既存のパチスロ機の遊技操作部の遊技場の床面からの高さと略同一となるように形成されていることを特徴とする請求項１に記載のパチスロ機である。
【００１６】
パチンコ島から変換されたパチスロ島は、床面からの高さがもともと高い位置に設定された既存のパチンコ島の膳板の上にメダル回収装置を載置し、さらにその上にパチスロ機を載置したものであるから、一般に普及している従来型をそのまま単純に縮小した形のパチスロ機では、遊技操作部の高さが合わなくなる。そこで、従来型と変わらない操作性を確保するために、本発明のパチスロ機は、遊技操作部を下位に設けた特殊形状で対応するようにした。
【発明の効果】
【００１７】
本発明の遊技機島は、既存のパチンコ島からパチンコ機および玉貸機を取り外した空間の上部にメダル補給装置、下部にメダル回収装置を設置することによって、メダルの自動補給機能をもつパチスロ島に容易に変換することができる。本発明のパチスロ機は、従来のパチスロ機よりも前面幅を狭くして、メダル貸機および目板とともに形成される１ユニットを、そのままパチンコ機の１ユニットを取り外した空間に収めることができるので、全体のパチスロ機の設置台数を減らすことがない。また、本発明のパチスロ機は、従来のパチスロ機よりも高さを低く設定することで、メダル補給装置およびメダル回収装置を含めた形でそのままパチンコ機の１ユニットを取り外した空間に収めることができる。
【００１８】
この結果、既存のパチンコ島をメダルの自動補給機能をもつパチスロ島にそのまま変換することができるようになる。しかも、メダル補給装置およびメダル回収装置は、後付けする形で設置することができ、島変換の必要が生じたときにのみ対応すればよいので、無
駄がなく経済的である。また、本発明のパチスロ機は、設置したときの床面からの遊技操作部の高さが従来のパチスロ機のそれとほとんど変わらないように形成されているので、ゲーム時におけるボタン類の操作性は、従来と変わらない操作性を確保する。
【発明を実施するための最良の形態】
【００１９】
次に、本発明の実施の一形態について、図を参照しながら説明する。図１は、本発明の遊技機島およびパチスロ機の側面図である。図２は、図１の正面図である。図３は、従来のパチンコ島の側面図である。図４は、図３の正面図である。図５は、パチンコ島の骨組みを示す斜視図である。図６は、従来のパチスロ島の側面図である。図７は、図６の正面図である。図８は、パチンコ機とパチスロ機との互換が可能な従来の遊技機島の一例を示す側面図である。なお、本実施例において、遊技機島は両島で例示されているが、これに限定したものではなく、壁島であっても本発明は同様に適用される。
【００２０】
図３および図４において、遊技機島１の一つとしてのパチンコ島１０は、パチンコ機２と玉貸機３とが横並びに並列配置され、さらに同様ものが反対側に背向配置されて、両島を形成している。これらのパチンコ機２および玉貸機３は、パチンコ島１０に水平に形成される棚板状の膳板１１に載置されている。膳板１１の下方は腰板１２によって、またパチンコ島１０の上部はランプ板１３および幕板１４によって、両島をなすパチンコ島１０の表裏両側から塞がれている。ランプ板１３には、遊技客の獲得玉数等を数値表示するディスプレイを備えた呼出ランプ部１５が装着されている。
【００２１】
パチンコ島１０の長手方向の中央部には図示しない揚送研磨塔が立設されている。腰板１２によって塞がれたパチンコ島１０の下部にはパチンコ玉回収装置１６や図示しないパチンコ玉の貯留タンクなどが収納されている。ランプ板１３および幕板１４によって塞がれたパチンコ島１０の上部にはパチンコ玉補給装置１７が収納されている。また、パチンコ島１０の両端部は、図示しない妻板によって閉塞されている。妻板の内側にはエンドホースが配設され、前記各装置とエンドホースとでもって、パチンコ玉の循環機構が形成されている。パチンコ玉循環機構を循環するパチンコ玉は、パチンコ玉補給装置１７に付設された補給シュートを通じて、パチンコ機２および玉貸機３に適宜補給される。
【００２２】
パチンコ機２の前面は、その上部に形成される遊技盤面１８と、下部の遊技操作部１９とによって大略構成されている。遊技操作部１９は、打球発射装置にパチンコ玉を送出する上皿２０と、上皿２０よりオーバーフローするパチンコ玉を貯留する下皿２１と、打球発射装置を作動させるハンドル２２とを備えている。遊技客は、通常、右手でハンドル２２の回転操作を行い、左手で、下皿２１に貯留されたパチンコ玉を上皿２０に移し変えたり、膳板１１に置いた玉箱に排出させたりする。したがって、このような手の動きが楽な位置に、遊技操作部１９は配設されている。
【００２３】
ここで、パチンコ機２の高さは、ＰＨ１である。膳板１１の上面の床面２３からの高さは、ＰＨ２である。パチンコ機２の前面幅は、ＰＷ１である。玉貸機３の前面幅は、ＰＷ２である。パチンコ機２と玉貸機３のそれぞれの前面幅の合算値は、ＰＷである。
【００２４】
図５において、パチンコ島１０の骨組みは、ベースとなる下部フレーム２４と、下部フレーム２４の長手方向に所定の間隔ＸＷでもって立設された一対の支柱２５と、支柱２５によって支持された上部フレーム２６と、対をなす支柱２５の間に架けた補強梁２７とによって構成されている。膳板１１は、下部フレーム２４の上部に水平に張り出して設けられる。腰板１２は、下部フレーム２４の表裏両側に開閉可能に装着され、さらに腰板１２と床面２３との隙間は、幅木２８でもって塞がれている。
【００２５】
図６および図７は、遊技機島１の一つとしてのパチスロ島３０を示すものであって、前記パチンコ島１０と同一箇所には同符号を付してある。パチスロ島３０は、パチスロ機４とメダル貸機５とが横並びに並列配置され、さらに同様ものが反対側に背向配置されて、両島を形成している。これらのパチスロ機４およびメダル貸機５は、パチスロ島３０に水平に形成される棚板状の膳板１１に載置されている。膳板１１の下方は腰板１２によって、またパチスロ島３０の上部はランプ板１３および幕板１４によって、両島をなすパチスロ島３０の表裏両側から塞がれている。ランプ板１３には、遊技客の獲得メダル枚数等を数値表示するディスプレイを備えた呼出ランプ部１５が装着されている。
【００２６】
パチスロ島３０の一端は、図示しない妻板によって閉塞されており、反対端には、メダル洗浄装置、メダル貯留タンク、メダルリフターなどを収納した図示しない揚送塔が付設されている。そして、腰板１２によって塞がれたパチスロ島３０の下部にはメダル回収装置３１が収納され、ランプ板１３および幕板１４によって塞がれたパチスロ島３０の上部にはメダル補給装置３２が収納されている。また、妻板によって閉塞された一端の内側にはエンドホースが配設され、前記各装置とエンドホースとでもって、メダルの循環機構が形成されている。メダル循環機構を循環するメダルは、メダル補給装置３２に付設された補給シュートを通じて、パチスロ機４およびメダル貸機５に適宜補給される。
【００２７】
パチスロ機４は、本体部３３と前扉３４とからなり、前扉３４の上部には、液晶パネル３５や本体内部に収納された３個のリール３６を視認するための表示窓などが配設されている。前扉３４のほぼ中位には遊技操作部３７配設され、前扉３４の下部にはメダル受皿３８が配設されている。また、下部本体内部には、メダルを払い出すホッパー装置などが収納されている。遊技操作部３７は、遊技客がメダルを投入するメダル投入口３９と、リール３６の回転を始動させるスタートレバー４０と、回転する３個のリール３６を個別に停止させる３つのストップボタン４１とを備え、さらに賭数を決定する図示しない１ＢＥＴボタン、ＭＡＸＢＥＴボタンなどを含む構成となっている。遊技客は、これらのレバーやボタン類を押下してゲームを楽しむ。したがって、遊技操作部３７は、このような操作をしやすい位置に配設されている。
【００２８】
ここで、パチスロ機４の高さは、ＳＨ１である。膳板１１上面の床面２３からの高さは、ＳＨ２である。パチスロ機４の前面幅は、ＳＷ１である。メダル貸機５の前面幅は、ＳＷ２である。パチスロ島３０には、さらに、目板４２が取り付けられる。この目板４２は、蝶番によって取り付けられたパチスロ機４の前扉３４を開扉したときに、前扉３４が島の部分と干渉しないように設けられる空間を塞ぐために配設されるものである。目板４２の前面幅は、ＳＷ３である。パチスロ機４とメダル貸機５と目板４２のそれぞれの前面幅の合算値は、ＳＷである。
【００２９】
従来、パチンコ機２の高さＰＨ１とパチスロ機４の高さＳＨ１は、同じ高さに統一されている。しかしながら、遊技操作部での手の動かし方などの違いから、遊技機の設置高さは異ならせている。すなわち、パチンコ島１０における膳板１１上面の床面２３からの高さＰＨ２を、パチスロ島３０における膳板１１上面の床面２３からの高さＳＨ２よりもおよそ１００ｍｍ高く設定することで、どちらの遊技機も、遊技操作部が楽に操作できるようになっている。
【００３０】
ところで、既存のパチンコ機２の前面幅ＰＷ１は、略５２０ｍｍである。玉貸機３の前面幅ＰＷ２は、４０ｍｍ余りである。したがって、仮にこれらの数字を固定値として採用すると、その合算値ＰＷは５６０ｍｍとなる。したがって、図５に示すパチンコ島１０における支柱２５間の長手方向の間隔ＸＷは、前記合算値ＰＷと同一ないし若干の余裕を見込んで形成される。一方、既存のパチスロ機４の前面幅ＳＷ１は、４８０ｍｍである。メダル貸機５の前面幅ＳＷ２は、およそ１００ｍｍである。目板４２の前面幅は、およそ５０ｍｍである。したがって、仮にこれらの数字を固定値として採用すると、その合算値ＳＷは６３０ｍｍとなる。よって、この計算では、パチスロ関係の合算値ＳＷが、パチンコ関係の合算値ＰＷよりも７０ｍｍ大きいことになり、既存のパチンコ島１０の支柱２５の長手方向の間隔ＸＷには、そのままではパチスロに関わる前面幅の合算値ＳＷは適合できないことになる。
【００３１】
図１および図２は、本発明の遊技機島１およびパチスロ機４を示したものである。図１において、図の左半分はパチンコ島１０であり、右半分はパチンコ島１０から変換した後のパチスロ島３０を示している。遊技機島１はパチンコ島１０の骨組みをそのまま使用したものであるから、膳板１１の床面２３からの高さは、両島ともにＰＨ２である。なお、図２は、パチスロ島３０の側の正面図であって、パチンコ島１０の側の正面図は、図４と同一である。
【００３２】
本発明のパチスロ機４は、パチンコ機２および玉貸機３を取り外した後の空間、すなわち、高さＰＨ１、前面幅ＸＷ（略ＰＷ）の空間にメダル貸機５および目板４２とともに収められている。パチスロ島３０の膳板１１にはメダル回収装置３１が載置され、その上にパチスロ機４、さらにその上にメダル補給装置３２が載置されている。したがって、パチスロ機４の高さＳＨ１は、前記空間の高さＰＨ１から、メダル回収装置３１およびメダル補給装置３２の高さを減算した高さに設定されている。なお、メダル貸機５についても、パチスロ機４と同様に高さを低くした変換島専用機となっている。
【００３３】
メダル回収装置３１およびメダル補給装置３２は、パチスロ島３０の長手方向に沿って水平に架設され、これらの装置に内装されたコンベアベルトでもってメダルを一定方向に搬送するものである。パチスロ島３０の一端には小型の揚送装置が配設され、他の一端に配設されたエンドホースとでもって、メダルの循環機構を形成している。このようなメダル循環機構は、パチンコ機２および玉貸機３を取り外した後に後付けする形で比較的簡単に付設することができる。また、メダル回収装置３１およびメダル補給装置３２を開錠して前面側に開放できる構成とすれば、これらの装置の保守・点検作業を容易に行えるようになる。
【００３４】
メダル貸機５および目板４２の前面幅が変わらないものとすれば、前述で求めたパチスロに関わる前面幅の合算値ＳＷと、パチンコに関わる前面幅の合算値ＰＷとの差７０ｍｍは、パチスロ機４の前面幅ＳＷ１で吸収することになるから、パチスロ機４の前面幅ＳＷ１は４１０ｍｍとなる。しかしながら、これは、数値を仮に固定させて計算した試算であるが、現実にはメダル貸機５や目板４２の前面幅ＳＷ２，ＳＷ３には、この計算に採用した数値にある程度の幅をもっているから、本発明のパチスロ機４の前面幅ＳＷ１は、大略４００〜４５０ｍｍが好適する範囲となる。
【００３５】
本発明のパチスロ機４は、遊技機島１に組み込まれたときの遊技操作部３７の床面２３からの高さが、図６に示す既存のパチスロ機４の遊技操作部３７の床面２３からの高さとほぼ等しくなるように形成される。結果として、本発明のパチスロ機４は、遊技操作部３７を本体部３３の下位に設けた特殊設計のものとなる。本体内部に収納されるホッパー装置などは、従来のものより一回り小さいコンパクトサイズとなる。以上のような構成により、遊技客は、椅子の高さを変えることなく、従来機と同じように快適にゲームを楽しむことができるようになる。
【図面の簡単な説明】
【００３６】
【図１】本発明の遊技機島およびパチスロ機の側面図である。
【図２】図１の正面図である。
【図３】従来のパチンコ島の側面図である。
【図４】図３の正面図である。
【図５】パチンコ島の骨組みを示す斜視図である。
【図６】従来のパチスロ島の側面図である。
【図７】図６の正面図である。
【図８】パチンコ機とパチスロ機との互換が可能な従来の遊技機島の一例を示す側面図である。
【符号の説明】
【００３７】
１  遊技機島
２  パチンコ機
３  玉貸機
４  パチスロ機
５  メダル貸機
１０  パチンコ島
１１  膳板
１６  パチンコ玉回収装置
１７  パチンコ玉補給装置
１９  遊技操作部
２３  床面
２５  支柱
３０  パチスロ島
３１  メダル回収装置
３２  メダル補給装置
３７  遊技操作部
４２  目板
ＰＨ１  （パチンコ機の）高さ
ＰＨ２  （パチンコ島における膳板の床面からの）高さ
ＰＷ１  （パチンコ機の）前面幅
ＰＷ２  （玉貸機の）前面幅
ＰＷ  （ＰＷ１とＰＷ２の）合算値
ＸＷ  （パチンコ島における支柱間の）前面幅
ＳＨ１  （パチスロ機の）高さ
ＳＨ２  （パチスロ島における膳板の床面からの）高さ
ＳＷ１  （パチスロ機の）前面幅
ＳＷ２  （メダル貸機の）前面幅
ＳＷ３  （目板の）前面幅
ＳＷ  （ＳＷ１とＳＷ２とＳＷ３の）合算値
【図１】
2009153647.tif 000003
【図２】
2009153647.tif 000004
【図３】
2009153647.tif 000005
【図４】
2009153647.tif 000006
【図５】
2009153647.tif 000007
【図６】
2009153647.tif 000008
【図７】
2009153647.tif 000009
【図８】
2009153647.tif 000010